(57)【要約】【課題】給送ローラの特に下部への液体の付着を防止することができる液体噴射装置及びその液体噴射装置を備えた記録装置を提供することにある。【解決手段】少なくとも給送ローラ８２の下部を覆う下部カバー２２を、従動ローラ８６を搬送ローラ８５に対して接触・離間させる接触・離間手段２３ａ，８６ａを保持する保持部材２３に設ける。これにより、給送ローラ下部への液体の付着を略無くすことができるので、被噴射媒体の汚染を防止することができ、また、下部カバーを取り付ける部材を新たに設けなくても良いので、部品点数の増加による部品コストの上昇を抑えることができる。【選択図】図５
2007126272.tif 000002
【特許請求の範囲】
【請求項１】
被噴射媒体に液体を噴射する噴射手段と、
前記噴射手段へ前記被噴射媒体を搬送する搬送ローラとその従動ローラを有する搬送手段と、
前記搬送手段へ前記被噴射媒体を給送する給送ローラを有する給送手段とを備えた液体噴射装置において、
少なくとも前記給送ローラの下部を覆う下部カバーを、前記従動ローラを前記搬送ローラに対して接触・離間させる接触・離間手段を保持する保持部材に設けたことを特徴とする液体噴射装置。
【請求項２】
前記下部カバーは、前記保持部材と一体形成されていることを特徴とする請求項１に記載の液体噴射装置。
【請求項３】
少なくとも前記給送ローラの上部を覆う上部カバーが、外装に取り付けられていることを特徴とする請求項１又は２に記載の液体噴射装置。
【請求項４】
少なくとも前記給送ローラの上部を覆う上部カバーが、外装と一体形成されていることを特徴とする請求項１又は２に記載の液体噴射装置。
【請求項５】
被記録媒体に記録する記録装置であって、
請求項１〜４の何れか一項に記載の液体噴射装置を備えたことを特徴とする記録装置。
【発明の詳細な説明】
【技術分野】
【０００１】
本発明は、被噴射媒体に対して液体を噴射する液体噴射装置及びその液体噴射装置を備えた記録装置に関する。
【背景技術】
【０００２】
記録装置の１つであるインクジェット式プリンタには、被記録媒体の１つとしての用紙に余白無く全面に記録を行う、いわゆる縁無し記録を実行可能なものがある。このようなインクジェット式プリンタにおける用紙を支持して記録ヘッドに対する用紙の位置を規定するプラテンには、用紙の縁から外れたインク滴を打ち捨てるための溝穴が形成されている（特許文献１参照）。
【０００３】
【特許文献１】特開２００４−１５５１０９号公報
【発明の開示】
【発明が解決しようとする課題】
【０００４】
近年のインクジェット式プリンタの高画質化によりインク滴が微細化してきているため、上記溝穴に打ち捨てられるべきインク滴が浮遊してインクミストとなることがある。インクジェット式プリンタは、一般にプリンタ前側に配設される記録ヘッド及びプラテンとプリンタ後側に配設される給紙ローラとの間にフレームが配設されており、殆どのインクミストは上記フレームによりプリンタ前側からプリンタ後側への浮遊が阻止される。ところが、フレームの前面側では記録ヘッドを搭載したキャリッジが往復移動するため、この往復移動に煽られ、更には記録ヘッドと用紙の間に負圧が発生してインクミストがフレームの下方の紙経路の隙間からプリンタ後側へ侵入する場合がある。給紙ローラは用紙と繰り返し接触するため帯電し易いので、特に上記インクミストは紙経路に近い給紙ローラの下部に付着することになる。そして、給紙ローラに付着したインクミストが用紙を汚染し、記録精度が低下するおそれがある。
【０００５】
本発明は、上記のような種々の課題に鑑みなされたものであり、その目的は、給送ローラの特に下部への液体の付着を防止することができる液体噴射装置及びその液体噴射装置を備えた記録装置を提供することにある。
【課題を解決するための手段】
【０００６】
上記目的達成のため、本発明の液体噴射装置では、被噴射媒体に液体を噴射する噴射手段と、前記噴射手段へ前記被噴射媒体を搬送する搬送ローラとその従動ローラを有する搬送手段と、前記搬送手段へ前記被噴射媒体を給送する給送ローラを有する給送手段とを備えた液体噴射装置において、少なくとも前記給送ローラの下部を覆う下部カバーを、前記従動ローラを前記搬送ローラに対して接触・離間させる接触・離間手段を保持する保持部材に設けたことを特徴としている。これにより、給送ローラ下部への液体の付着を略無くすことができるので、被噴射媒体の汚染を防止することができ、また、下部カバーを取り付ける部材を新たに設けなくても良いので、部品点数の増加による部品コストの上昇を抑えることができる。
【０００７】
また、前記下部カバーは、前記保持部材と一体形成されていることを特徴としている。これにより、下部カバー単独の取り付け作業が不要となるので、組立工数の増加による組立コストの上昇を抑えることができる。また、少なくとも前記給送ローラの上部を覆う上部カバーが、外装に取り付けられていることを特徴としている。これにより、給送ローラ上部への液体の付着も略無くすことができるので、被噴射媒体の汚染を更に防止することができる。また、少なくとも前記給送ローラの上部を覆う上部カバーが、外装と一体形成されていることを特徴としている。これにより、給送ローラ上部への液体の付着も略無くすことができるので、被噴射媒体の汚染を更に防止することができことができると共に、上部カバー単独の取り付け作業が不要となるので、組立工数の増加による組立コストの上昇を抑えることができる。
【０００８】
上記目的達成のため、本発明の記録装置では、被記録媒体に記録する記録装置であって、上記各液体噴射装置を備えたことを特徴としている。これにより、上記各作用効果を奏する記録装置を提供することができる。
【発明を実施するための最良の形態】
【０００９】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１０】
図１及び図２は、本発明の一実施の形態に係る記録装置の１つであるインクジェット式プリンタの外観構成の全体を斜め前方及び後方から見た斜視図、図３は、その内部構成の概略を示す斜視図、図４は、その内部構成の概略を示す断面側面図である。このインクジェット式プリンタ１００は、例えばＬ判／２Ｌ判、ハガキ、ＪＩＳ規格のＡ４判、Ａ３判ノビ、Ａ２判等のサイズの単票紙（以下、単に用紙（被噴射媒体）という）にインク（液体）により記録することができる機能を備えている。
【００１１】
このインクジェット式プリンタ１００は、図１及び図２に示すように、全体が略直方体状のハウジング１０１で覆われている。そして、ハウジング１０１の図１に示す上面右前側には操作部１１０が配設され、図１に示す上面左前側にはカートリッジ収納部１２０が配設されている。更に、図１に示す上面後側には第１リア給紙部１３０が配設され、図２に示す背面側には第２リア給紙部１４０が配設されている。そして、図１に示す前面側には排紙部１５０とフロント給紙部１６０が配設され、図１に示す前面右側には廃インク回収部１７０が配設されている。また、このインクジェット式プリンタ１００の内部には、図２及び図４に示す制御部１９０と、本発明の液体噴射装置の特徴的な部分を含む図３及び図４に示す用紙搬送部（給送手段、搬送手段）１８０並びに図３及び図４に示す記録部（噴射手段）２００が配設されている。
【００１２】
そして、図１及び図２に示すように、ハウジング１０１の上面における操作部１１０及びカートリッジ収納部１２０と第１リア給紙部１３０との間には、矩形状の開口部１０２が形成されている。この開口部１０２は、略矩形平板状のプリンタカバー２１０によって覆われている。プリンタカバー２１０は、後端の回動軸を中心に図示矢印ａ方向に回動可能に取り付けられている。ユーザは、プリンタカバー２１０を持ち上げて開口部１０２を開放することにより、開口部１０２を通して用紙搬送部１８０や記録部２００等の内部機構のメンテナンス作業等を簡易に行うことができる。
【００１３】
操作部１１０は、図１及び図２に示すように、略矩形状の操作パネル１１１を備え、この操作パネル１１１の略中央部に操作状態等を表示する液晶パネル１１２が配設され、この液晶パネル１１２の両側にパワーをオン・オフするパワー系、用紙の頭出し等を操作したりインクのフラッシング等を操作する操作系、画像処理等を行う処理系等のボタン１１３が配設されている。ユーザは、液晶パネル１１２を見て確認しながらボタン１１３を操作することができるので、誤操作を防止することができる。
【００１４】
カートリッジ収納部１２０は、図１及び図２に示すように、印刷用の各色（本例では９色）のインクを貯留している図３及び図４に示すインクカートリッジ１２１が抜き差し可能に収納されている。このカートリッジ収納部１２０は、断面がＬ字状のカートリッジカバー１２２によって覆われている。カートリッジカバー１２２は、後端の回動軸を中心に図示矢印ｂ方向に回動可能に取り付けられている。ユーザは、カートリッジカバー１２２を持ち上げてカートリッジ収納部１２０を開放することにより、インクカートリッジ１２１を簡易に交換等することができるので、作業効率を向上させることができる。
【００１５】
第１リア給紙部１３０は、自動給紙（ＡＳＦ）用であり、図１及び図２に示すように、上方に向かって矩形状に開口した第１給紙口１３１を開閉する機能と、給紙する用紙を１枚もしくは複数枚サポートする機能を併せ持った４段構造の第１ペーパーサポート１３２を備えている。この第１ペーパーサポート１３２は、後端の回動軸を中心に図示矢印ｃ方向に回動可能に取り付けられている。この第１リア給紙部１３０で給紙される用紙は、比較的薄手の用紙（例えば、厚さ０．０８ｍｍ〜０．２７ｍｍ程度の普通紙や写真用紙等）が使用される。
【００１６】
ユーザは、インクジェット式プリンタ１００の使用前においては、第１ペーパーサポート１３２の図示手前中央に設けられた穴１３２ａに指を掛けて第１ペーパーサポート１３２を持ち上げて多段部分を引き出すことによりセッティングが完了するので、着脱式のペーパーサポートの場合に必要な保管や管理等が不要となる。更に、多段構造の第１ペーパーサポート１３２であるので、種々のサイズの給紙する用紙を確実にサポートすることができる。また、インクジェット式プリンタ１００の使用後においては、第１ペーパーサポート１３２を多段部分を押し込んで閉じることにより第１給紙口１３１を塞ぐことができるので、プリンタ本体内への埃の侵入を防止することができると共に、第１ペーパーサポート１３２をコンパクトに格納しておくことができる。
【００１７】
第２リア給紙部１４０は、手差し給紙用であり、図２に示すように、後方に向かって矩形状に開口した第２給紙口１４１を開閉する機能と、給紙する用紙を１枚サポートする機能を併せ持った２段構造の第２ペーパーサポート１４２を備えている。この第２ペーパーサポート１４２は、下端の回動軸を中心に図示矢印ｄ方向に回動可能に取り付けられている。この第２リア給紙部１４０で給紙される用紙は、第１リア給紙部１３０における搬送角度で給紙できない厚さの用紙（例えば、厚さ０．２９ｍｍ〜０．４８ｍｍ程度の画材用紙や専用紙等）が使用される。更に、第１リア給紙部１３０は自動給紙（ＡＳＦ）用であることから給紙ローラ８２で用紙をピックアップするので、この給紙ローラ８２に紙粉が付着して蓄積されると、給紙ローラ８２に滑りが生じて給紙不良を引き起こすおそれがある。そのため、紙粉が発生し易い用紙（例えば、厚さ０．４８ｍｍ程度のＶｅｌｖｅｔ  Ｆｉｎｅ  Ａｒｔ  Ｐａｐｅｒや厚さ０．４６ｍｍ程度のＵｌｔｒａ  Ｓｍｏｏｔｈ  Ｆｉｎｅ  Ａｒｔ  Ｐａｐｅｒ）についても、第２リア給紙部１４０で手差し給紙させる必要がある。
【００１８】
ユーザは、インクジェット式プリンタ１００の使用前においては、第２ペーパーサポート１４２の図示上部に指を掛けて第２ペーパーサポート１４２を押し下げて多段部分を引き出すことによりセッティングが完了するので、着脱式のペーパーサポートの場合に必要な保管や管理等が不要となる。更に、多段構造の第２ペーパーサポート１４２であるので、種々のサイズの給紙する用紙を確実にサポートすることができる。また、インクジェット式プリンタ１００の使用後においては、第２ペーパーサポート１４２を多段部分を押し込んで閉じることにより第２給紙口１４１を塞ぐことができるので、プリンタ本体内への埃の侵入を防止することができると共に、第２ペーパーサポート１４２をコンパクトに格納しておくことができる。
【００１９】
排紙部１５０は、図１に示すように、前方に向かって矩形状に開口した排紙口１５１を開閉する機能と、排紙される用紙を１枚もしくは複数枚スタックする機能を併せ持った図３に示す第１スタッカ５１と第２スタッカ５２の２段構造のスタッカ１５２を備えている。第１スタッカ５１は、第２スタッカ５２の先端側で回動軸を中心に図示矢印ｅ方向に回動可能に取り付けられている。第２スタッカ５２は、排紙口１５１に対して斜め上下に平行移動して突出・格納可能なように取り付けられている。
【００２０】
ユーザは、インクジェット式プリンタ１００の使用前においては、第１スタッカ５１の上部に指を掛け第１スタッカ５１を手前に回動させて排紙口１５１を開け、第１スタッカ５１の先端を指で摘んで引き出し第２スタッカ５２を斜め上方へ平行移動させて突出させることによりセッティングが完了するので、着脱式のスタッカの場合に必要な保管や管理等が不要となる。更に、多段構造のスタッカ１５２であるので、種々のサイズの排紙される用紙を確実に積層載置することができ、また、記録後の用紙は常に前面側から排紙されるので、ユーザは用紙を容易に取り出すことができる。また、インクジェット式プリンタ１００の使用後においては、第１スタッカ５１の先端を手で押し込むことにより第２スタッカ５２を斜め下方へ平行移動させて格納すると共に、第１スタッカ５１に手を添えて第１スタッカ５１を後方へ回動させて排紙口１５１を塞ぐことができるので、プリンタ本体内への埃の侵入を防止することができると共に、スタッカ１５２をコンパクトに格納しておくことができる。
【００２１】
フロント給紙部１６０は、手差し給紙用であり、図３に示すように、排紙口１５１におけるスタッカ１５２の上方に配設された給紙トレイ１６１を備えている。この給紙トレイ１６１は、排紙口１５１に対して水平に移動可能に設けられている。このフロント給紙部１６０で給紙される用紙は、搬送時に折り曲げることが不可能な比較的厚手の用紙（例えば、厚さ１．２ｍｍ程度のマットボード紙等）が使用される。
【００２２】
ユーザは、インクジェット式プリンタ１００の使用前においては、給紙トレイ１６１の先端を軽く押し込むことにより、給紙トレイ１６１のストッパが外れて給紙トレイ１６１が排紙口１５１から突出する。また、インクジェット式プリンタ１００の使用後においては、給紙トレイ１６１の先端を軽く押し込むことにより、給紙トレイ１６１のストッパが掛かって給紙トレイ１６１が排紙口１５１内に格納される。従って、給紙トレイ１６１の配設スペース効率を高めることができる。
【００２３】
廃インク回収部１７０は、図１〜図３に示すように、廃インク等を貯留する廃インクタンク１７１が抜き差し可能に収納されている。この廃インクタンク１７１は、記録ヘッド２０２のクリーニング処理時やインクカートリッジの交換時に廃棄される廃インク等を貯留する。ユーザは、廃インクタンク１７１に廃インク等が一杯に溜まったときは、その廃インクタンク１７１を引き出して新しい廃インクタンク１７１を差し込むのみで良いので、廃インクタンク１７１の交換作業を簡易に行うことができる。
【００２４】
用紙搬送部１８０は、図３及び図４に示すように、第１リア給紙部１３０及び第２リア給紙部１４０から排紙部１５０に掛けて配設されており、自動給紙機構１８１、搬送機構１８２、排紙機構１８３を備えている。自動給紙機構１８１は、図４に示すように、第１ペーパーサポート１３２にサポートされている用紙を給送するために持ち上げるホッパ８１、このホッパ８１により持ち上げられた用紙を取り出す給紙ローラ（給送ローラ）８２、この給紙ローラ８２により重送された用紙を１枚のみに分離するリタードローラ８３、このリタードローラ８３により分離された残りの用紙をホッパ８１へ戻す紙戻しレバー８４等を備えている。
【００２５】
ホッパ８１は、用紙が載置可能な平板状に形成されて後壁と略平行に配設されており、下端が給紙ローラ８２の近傍に位置し、上端が後壁頂部に近接して位置するように配設されている。そして、ホッパ８１は、後壁に一端が取り付けられた図示しない圧縮バネの他端が下端側の裏面に取り付けられており、この圧縮バネの伸縮により上端側を中心に下端側が旋回するように配設されている。
【００２６】
給紙ローラ８２は、断面の一部が切り欠かれたＤ字状に形成されてホッパ８１の下端近傍に配設されており、間欠的に回転してホッパ８１により持ち上げられた用紙を摩擦給送するようになっている。リタードローラ８３は、給紙ローラ８２と当接可能に配設されており、給紙ローラ８２により用紙が重送されたときに最上層の用紙のみを下層の用紙から摩擦分離するようになっている。紙戻しレバー８４は、爪状に形成されて給紙ローラ８２の近傍に配設されており、リタードローラ８３により分離された下層の用紙を爪に掛けてホッパ８１へ戻すようになっている。
【００２７】
搬送機構１８２は、図４に示すように、記録動作に同期して副走査方向に用紙を送る紙送りローラ（搬送ローラ）８５とその従動ローラ８６等が配設されている。紙送りローラ８５は、プラテン２０３の搬送上流側に配設されており、給紙ローラ８２により給送される用紙を従動ローラ８６と共に挟持してプラテン２０３へ送り出すようになっている。
【００２８】
排紙機構１８３は、図４に示すように、排紙ローラ８７と第１ギザローラ８８ａ及び第２ギザローラ８８ｂ等を備えている。第１ギザローラ８８ａは、プラテン２０３の搬送下流側に配設され、第２ギザローラ８８ｂと排紙ローラ８７は、第１ギザローラ８８ａの搬送下流側に対向配設されており、プラテン２０３を通過してくる用紙を先ず第１ギザローラ８８ａで排送し、続いて第２ギザローラ８８ｂと排紙ローラ８７で挟持してスタッカ１５２上へ排紙するようになっている。尚、第１ギザローラ８８ａ及び第２ギザローラ８８ｂは、図示しない同一の保持部材により保持されている。
【００２９】
制御部１９０は、図４に示すように、プリンタコントローラを構成するメイン基板１９１を備えている。このメイン基板１９１は、図示しないＣＰＵ、ＲＯＭ、ＲＡＭ、ＡＳＩＣ等の制御素子や記憶素子、及びその他の各種回路素子が装着されている。そして、プリントエンジンを構成する用紙搬送部１８０や記録部２００等を制御するようになっている。
【００３０】
記録部２００には、図４に示すように、記録動作に同期して主走査方向に移動するキャリッジ２０１、記録動作に同期してインクを吐出する記録ヘッド２０２と、記録時の用紙を平坦に保持するプラテン２０３等が配設されている。キャリッジ２０１は、図３に示すように、プラテン２０３の上方でキャリッジガイド軸２０４に貫装されてキャリッジベルト２０５に連結されており、図示しないキャリッジモータによってキャリッジベルト２０５が作動すると、キャリッジベルト２０５の動きに連行され、キャリッジガイド軸２０４に案内されて往復移動するようになっている。
【００３１】
記録ヘッド２０２は、図４に示すように、プラテン２０３と所定の間隔が空くようにしてキャリッジ２０１に搭載されており、２種類のブラック、例えばフォトブラックとマットブラックのインクと、イエロー、シアン、ライトシアン、マゼンタ、ライトマゼンタ、グレー、レッドの７色のインクをそれぞれ吐出することができる。即ち、記録ヘッド２０２は、圧力発生室とそれに繋がるノズル開口がノズルプレートに設けられており、圧力発生室内にインクを貯留して所定圧で加圧することにより、ノズル開口から用紙に向けてコントロールされた大きさのインク滴を吐出するようになっている。プラテン２０３は、紙送りローラ８５と排紙ローラ８７の間であって記録ヘッド２０２と対向するように配設されており、搬送されてくる用紙を面支持するようになっている。次に、本発明の特徴的な部分を含む自動給紙機構１８１の詳細について、更に図を参照して説明する。
【００３２】
図５は、上記自動給紙機構１８１における給紙ローラ８２周辺をプリンタ背面側から見た斜視図である。この自動給紙機構１８１は、プリンタ両側面側とプリンタ背面側の３方を囲んだ形状のＡＳＦフレーム８９内に、上述した給紙ローラ８２、リタードローラ８３、紙戻しレバー８４等が配設されている。即ち、給紙ローラ８２の下方にリタードローラ８３が対向配置され、このリタードローラ８３の両側に複数（この例では５つ）の紙戻しレバー８４が並設されている。そして、給紙ローラ８２は、ＡＳＦフレーム８９の両側面に両端が回転可能に支持された給紙ローラ軸８２ａ（図７参照）に貫装されて回転するようになっている。尚、給紙時の用紙のスキューを防止するために、給紙ローラ８２から所定間隔を空けて複数（この例では５つ）の補助給紙ローラ８２ｂが給紙ローラ軸８２ａに貫装されて回転するようになっている。
【００３３】
また、ＡＳＦフレーム８９の開放面側（プリンタ前面側）には、プリンタ後側に配設される給紙ローラ８２とプリンタ前側に配設される記録ヘッド２０２及びプラテン２０３との間を区切るメインフレーム１０２が配設されている。ここで、背景技術でも述べたように、メインフレーム１０２の前面側では記録ヘッド２０２を搭載したキャリッジ２０１が往復移動するため、この往復移動に煽られ、更には記録ヘッド２０２と用紙の間に負圧が発生してインクミストがメインフレーム１０２の下方の紙経路の隙間からプリンタ後側へ侵入する場合がある。給紙ローラ８２は用紙と繰り返し接触するため帯電し易いので、特に上記インクミストは紙経路に近い給紙ローラ８２の下部に付着することになる。そして、給紙ローラ８２に付着したインクミストが用紙を汚染し、記録精度が低下するおそれがある。そこで、本実施形態では、給送ローラ８２を覆うカバー２０を備えており、その詳細を更に図を参照して以下説明する。
【００３４】
図６及び図７は、上記カバー２０を示す斜視図、図８は、その断面側面図である。このカバー２０は、図６及び図８に示すように、給紙ローラ８２及び補助給紙ローラ８２ｂの上部を覆い、かつ給紙ローラ軸８２ａの直近上部からメインフレーム１０２の上端までを覆う上部カバー２１と、図７及び図８に示すように、給紙ローラ８２及び補助給紙ローラ８２ｂの下部を覆う下部カバー２２とを備えている。
【００３５】
上部カバー２１は、ハウジング（外装）１０１に取り付けられ、下部カバー２２の上部においてメインフレーム１０２と密着するように配置されている。このような構成の上部カバー２１によれば、メインフレーム１０２に設けられている図７に示す穴１０２ａからのインクミストの侵入を遮蔽することができるので、給紙ローラ８２及び補助給紙ローラ８２ｂの上部のみならず、給紙ローラ軸８２ａやメインフレーム１０２を含む周辺部へのインクミストの付着を防止することができる。尚、上部カバー２１をハウジング（外装）１０１と別体で取り付けるようにしたが、上部カバー２１をハウジング（外装）１０１と一体形成するようにしても良い。
【００３６】
下部カバー２２は、上部カバー２１の下部においてメインフレーム１０２と密着するように固定されているレリースカム軸ホルダ（保持部材）２３の下部に一体形成されている。このレリースカム軸ホルダ２３は、従動ローラ８６を紙送りローラ８５に対し当接・離間させる従動ローラホルダ（接触・離間手段）８６ａを揺動させるレリースカム軸（接触・離間手段）２３ａを保持するホルダである。このような構成の下部カバー２２によれば、メインフレーム１０２の下方の紙経路の隙間からインクミストが侵入してきても、給紙ローラ８２及び補助給紙ローラ８２ｂの下部、特にＤ字の角部へのインクミストの付着を防止することができる。尚、下部カバー２２をレリースカム軸ホルダ（保持部材）２３と一体形成するようにしたが、下部カバー２２をレリースカム軸ホルダ（保持部材）２３と別体で取り付けるようにしても良い。
【００３７】
図９は、別形態のカバーを示す斜視図、図１０は、その断面側面図である。このカバー３０は、給紙ローラ８２の上部及び下部を覆う部分３１、３２がレリースカム軸ホルダ２３の上部及び下部に一体形成されている。このような構成のカバー３０によっても、メインフレーム１０２に設けられている穴１０２ａやメインフレーム１０２の下方の紙経路の隙間からインクミストが侵入してきても、給紙ローラ８２の上部及び下部、特にＤ字の角部へのインクミストの付着を防止することができる。尚、カバー３０をレリースカム軸ホルダ２３と一体形成するようにしたが、カバー３０をレリースカム軸ホルダ２３と別体で取り付けるようにしても良い。また、補助給紙ローラ８２ｂの上部及び下部も覆うように形成しても良い。
【００３８】
上述した実施形態では、給紙ローラ８２等の上部及び下部を覆うカバー２０、３０を備えたインクジェット式プリンタ１００について説明したが、プリンタ上部はキャリッジ２０１に遮られており、またインクミストは自然落下するためプリンタの上部よりも下部へ回り込む確率が高いので、少なくとも給紙ローラ８２の下部を覆うカバーを備えていれば良い。
【００３９】
以上のように、本実施形態のインクジェット式プリンタ１００によれば、少なくとも給紙ローラ８２の下部を覆う下部カバー２２、３２を、従動ローラ８６を紙送りローラ８５に対して接触・離間させる従動ローラホルダ８６ａを揺動させるレリースカム軸２３ａを保持するレリースカム軸ホルダ２３に設けたので、給紙ローラ８２下部へのインクミストの付着を略無くして用紙の汚染を防止することができ、また、下部カバー２２、３２を取り付ける部材を新たに設けなくても良いので、部品点数の増加による部品コストの上昇を抑えることができる。
【００４０】
また、下部カバー２２、３２は、レリースカム軸ホルダ２３と一体形成されているので、下部カバー２２、３２単独の取り付け作業が不要となり、組立工数の増加による組立コストの上昇を抑えることができる。また、少なくとも給紙ローラの上部を覆う上部カバー２１、３１が、ハウジング１０１に取り付けられているので、給紙ローラ８２上部へのインクミストの付着も略無くして用紙の汚染を更に防止することができる。また、上部カバー２１、３１が、ハウジング１０１と一体形成されているので、給紙ローラ８２上部へのインクミストの付着も略無くして用紙の汚染を更に防止することができると共に、上部カバー２１、３１単独の取り付け作業が不要となるので、組立工数の増加による組立コストの上昇を抑えることができる。
【産業上の利用可能性】
【００４１】
記録装置としてインクジェット式プリンタを例に説明したが、記録装置であれば、例えばファクシミリ装置、コピー装置等であっても適用可能である。また、記録装置に限らず、インクに代えてその用途に対応する液体を液体噴射ヘッドから被噴射媒体に噴射して液体を被噴射媒体に付着させる液体噴射装置の意味として、例えば、液晶ディスプレイ等のカラーフィルタ製造に用いる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料噴射ヘッド等を備えた装置にも適用可能である。
【図面の簡単な説明】
【００４２】
【図１】本発明の一実施の形態に係る記録装置の１つであるインクジェット式プリンタの外観構成の全体を斜め前方から見た斜視図である。
【図２】図１のプリンタの外観構成の全体を斜め後方から見た斜視図である。
【図３】図１のプリンタの内部構成の概略を示す斜視図である。
【図４】図１のプリンタの内部構成の概略を示す断面側面図である。
【図５】図１のプリンタの自動給紙機構における給紙ローラ周辺をプリンタ背面側から見た斜視図である。
【図６】図５のカバーを示す第１の斜視図である。
【図７】図５のカバーを示す第２の斜視図である。
【図８】図５のカバーの断面側面図である。
【図９】別形態のカバーを示す斜視図である。
【図１０】図９のカバーの断面側面図である。
【符号の説明】
【００４３】
２０、３０  カバー、２１、３１  上部カバー、２２、３２  下部カバー、２３  レリースカム軸ホルダ、２３ａ  レリースカム軸、８２  給紙ローラ、８２ａ  給紙ローラ軸、８２ｂ  補助給紙ローラ、８５  紙送りローラ、８６  従動ローラ、８６ａ  従動ローラホルダ、８９  ＡＳＦフレーム、１００  インクジェット式プリンタ、１０１  ハウジング、１０２  メインフレーム、１１０  操作部、１２０  カートリッジ収納部、１３０  第１リア給紙部、１４０  第２リア給紙部、１５０  排紙部、１６０  フロント給紙部、１７０  廃インク回収部、１８０  用紙搬送部、１８１  自動給紙機構、１９０  制御部、２００  記録部、２０１  キャリッジ、２０２  記録ヘッド、２０３  プラテン、２１０  プリンタカバー
【図１】
2007126272.tif 000003
【図２】
2007126272.tif 000004
【図３】
2007126272.tif 000005
【図４】
2007126272.tif 000006
【図５】
2007126272.tif 000007
【図６】
2007126272.tif 000008
【図７】
2007126272.tif 000009
【図８】
2007126272.tif 000010
【図９】
2007126272.tif 000011
【図１０】
2007126272.tif 000012